(57)【要約】【課題】水を含有する前処理剤を用いて被洗物の水溶性汚れを除去した後に、該処理部分に付与することにより被洗物のわじみを防止することができ、さらに油性汚れに対する洗浄性にも優れたドライクリーニング用前処理剤及び該前処理剤を用いるドライクリーニング前処理方法を提供する【解決手段】一般式［１］で表されるグリコールエーテル化合物７５〜１００質量％及び溶解助剤０〜２５質量％を含有するドライクリーニング用前処理剤、及び、水を含有する前処理剤を用いて被洗物を処理したのちに、該処理部分に、該ドライクリーニング用前処理剤を付与するドライクリーニング前処理方法。                      Ｒ1Ｏ(Ｒ2Ｏ)nＨ                        …［１］（ただし、式中、Ｒ1は、炭素数４〜２２のアルキル基又はアルケニル基であり、Ｒ2は、炭素数２〜３のアルキレン基であり、ｎは、１〜１０である。）【選択図】なし【特許請求の範囲】
【請求項１】
一般式［１］で表されるグリコールエーテル化合物７５〜１００質量％及び溶解助剤０〜２５質量％を含有することを特徴とするドライクリーニング用前処理剤。
Ｒ1Ｏ(Ｒ2Ｏ)nＨ                        …［１］
（ただし、式中、Ｒ1は、炭素数４〜２２のアルキル基又はアルケニル基であり、Ｒ2は、炭素数２〜３のアルキレン基であり、ｎは、１〜１０であり、ｎ個の繰り返し単位からなるポリアルキレンオキシ鎖中のアルキレンオキシ基は、すべて同一であっても、異なっていてもよい。）
【請求項２】
溶解助剤が、アルコール系溶剤、ハイドロクロロフルオロカーボン系溶剤、ハイドロフルオロカーボン系溶剤及びハイドロフルオロエーテル系溶剤から選ばれる少なくとも１種の溶剤である請求項１記載のドライクリーニング用前処理剤。
【請求項３】
水を含有する前処理剤を用いて被洗物を処理したのちに、該処理部分に、一般式［１］で表されるグリコールエーテル化合物７５〜１００質量％及び溶解助剤０〜２５質量％を含有するドライクリーニング用前処理剤を付与することを特徴とするドライクリーニング前処理方法。
Ｒ1Ｏ(Ｒ2Ｏ)nＨ                        …［１］
（ただし、式中、Ｒ1は、炭素数４〜２２のアルキル基又はアルケニル基であり、Ｒ2は、炭素数２〜３のアルキレン基であり、ｎは、１〜１０であり、ｎ個の繰り返し単位からなるポリアルキレンオキシ鎖中のアルキレンオキシ基は、すべて同一であっても、異なっていてもよい。）
【発明の詳細な説明】
【技術分野】
【０００１】
本発明は、ドライクリーニング用前処理剤及びドライクリーニング前処理方法に関する。さらに詳しくは、本発明は、水を含有する前処理剤を用いて洗濯物の水溶性汚れを除去した後に、該処理部分に付与することにより被洗物のわじみを防止することができ、さらに油性汚れに対する洗浄性にも優れたドライクリーニング用前処理剤及び該前処理剤を用いるドライクリーニング前処理方法に関する。
【背景技術】
【０００２】
ドライクリーニングは、洗浄媒体として石油系溶剤や代替フロン溶剤などの有機溶剤を用いて洗浄する方法である。代替フロン溶剤としては、１,１−ジクロロ−２,２,３,３,３−ペンタフルオロプロパン（ＨＣＦＣ−２２５ｃａ）、１,３−ジクロロ−１,１,２,２,３−ペンタフルオロプロパン（ＨＣＦＣ−２２５ｃｂ）及びこれらの混合物などのハイドロクロロフルオロカーボン系溶剤が使用されている。しかし、ハイドロクロロフルオロカーボン系溶剤は沸点が低く、乾燥が容易で速く、衣類に対する乾燥時の機械的損傷が小さいという利点があるが、オゾン破壊係数や地球温暖化係数が大きいために、今後使用可能な期間が限定されている。そして、近年では、オゾン破壊係数と地球温暖化係数が小さいハイドロフルオロカーボン系のいわゆる第三世代フロン系溶剤が、ハイドロクロロフルオロカーボン系溶剤に替わるドライクリーニング洗浄溶剤として実用化され始めている。
ところで、これら第三世代フロン系溶剤は、従来のドライクリーニング洗浄溶剤と比較してＫＢ値（カウリブタノール値）が極めて低く、ほとんど脱脂力がないために、油性汚れに対して十分な洗浄能力を発揮することができない。そこで、油性汚れに対する洗浄性を向上する目的で、ＫＢ値の低いドライクリーニング洗浄溶剤に、ＫＢ値の高いドライクリーニング洗浄溶剤を混合して使用したり、界面活性剤を含有する洗浄剤組成物を添加して使用したりするドライクリーニング方法が採用されている。
例えば、洗浄性と再汚染防止性に優れ、第三世代フロン系溶剤に添加して使用することができ、被洗物に良好な帯電防止性と柔軟性を与えることができるドライクリーニング用洗浄剤組成物として、１,１,１,３,３−ペンタフルオロブタンに、ポリアルキレンオキシ鎖を有する第四級アンモニウム塩を配合した洗浄剤組成物が提案されている（特許文献１）。このような洗浄剤組成物をドライクリーニング洗浄溶剤に添加することにより、油性汚れに対する洗浄性と再汚染防止性を高めることができる。
また、洗浄性や安全性などの特性に優れた、汚染された繊維製品の洗浄用溶剤組成物として、グリコールエーテル化合物、炭化水素及び沸点４０℃以上のフルオロカーボンを含有する繊維洗浄用溶剤組成物が提案されている（特許文献２）。しかし、この溶剤組成物では、被洗物にわじみが発生しやすい。さらに、溶解力が強力で残存しみの問題がなく、毒性及びオゾン破壊係数が低く、引火性の危険もない混合溶剤組成物として、無毒性低級アルコール系溶剤、オゾン低分解性塩化フッ化エチル系溶剤、塩化プロパン系溶剤及び塩化メチレン系溶剤を含有する混合溶剤組成物が提案されている（特許文献３）。しかし、ドライクリーニングは有機溶剤を使用する洗浄であるために、水溶性汚れに対しての洗浄性が期待できないという問題があり、通常、ドライクリーニング前にしみぬきを目的とした前処理がなされている。
水溶性汚れを除去する前処理方法としては、水を配合した前処理剤やササラ液を用いる方法が一般的である。ここで、その後のドライクリーニングおいて、石油系溶剤のようにＫＢ値の高いドライクリーニング洗浄溶剤を用いる場合は、洗浄溶剤中に抱水能が高い界面活性剤を添加することによって、被洗物に水分が残留していても水分過剰によるわじみや収縮などの衣料事故が生じにくくなる。ところが、第三世代フロン系溶剤のようにＫＢ値の低いドライクリーニング洗浄溶剤を用いる場合は、これらの溶剤中で抱水能を向上させ得る界面活性剤がないために、水分残留によるわじみや収縮などの衣料事故が生じやすい。
このために、第三世代フロン系溶剤を用いるドライクリーニングでは、被洗物に水分が残留するような前処理はあまり行われておらず、やむを得ず行った場合や被洗物に多量の水が付着した場合には、ドライクリーニング機による洗浄の前に、被洗物を十分に乾燥させて水分を除去する必要があり、大変手間がかかる作業である。また、石油系溶剤などのＫＢ値の高いドライクリーニング洗浄溶剤を用いるときであっても、溶剤中に必ず抱水能が高い界面活性剤を添加しなければならないという取り扱い上の煩雑さがある。
【特許文献１】特開２００４−５９７９０号公報（第２頁）
【特許文献２】特開２００３−１７１６９６号公報（第２頁）
【特許文献３】特開平８−２４６３３３号公報（第２頁）
【発明の開示】
【発明が解決しようとする課題】
【０００３】
本発明は、水を含有する前処理剤を用いて被洗物の水溶性汚れを除去した後に、該処理部分に付与することにより被洗物のわじみを防止することができ、さらに油性汚れに対する洗浄性にも優れたドライクリーニング用前処理剤及び該前処理剤を用いるドライクリーニング前処理方法を提供することを目的としてなされたものである。
【課題を解決するための手段】
【０００４】
本発明者らは、上記の課題を解決すべく鋭意研究を重ねた結果、特定の構造を有するグリコールエーテル化合物を７５質量％以上含有する前処理剤が、水を含有する前処理剤で処理した被洗物の部分に付与した場合に優れたわじみ防止性を示し、また油性汚れに対する洗浄性にも優れることを見いだし、この知見に基づいて本発明を完成するに至った。
すなわち、本発明は、
（１）一般式［１］で表されるグリコールエーテル化合物７５〜１００質量％及び溶解助剤０〜２５質量％を含有することを特徴とするドライクリーニング用前処理剤、
Ｒ1Ｏ(Ｒ2Ｏ)nＨ                        …［１］
（ただし、式中、Ｒ1は、炭素数４〜２２のアルキル基又はアルケニル基であり、Ｒ2は、炭素数２〜３のアルキレン基であり、ｎは、１〜１０であり、ｎ個の繰り返し単位からなるポリアルキレンオキシ鎖中のアルキレンオキシ基は、すべて同一であっても、異なっていてもよい。）、
（２）溶解助剤が、アルコール系溶剤、ハイドロクロロフルオロカーボン系溶剤、ハイドロフルオロカーボン系溶剤及びハイドロフルオロエーテル系溶剤から選ばれる少なくとも１種の溶剤である(１)記載のドライクリーニング用前処理剤、及び、
（３）水を含有する前処理剤を用いて被洗物を処理したのちに、該処理部分に、一般式［１］で表されるグリコールエーテル化合物７５〜１００質量％及び溶解助剤０〜２５質量％を含有するドライクリーニング用前処理剤を付与することを特徴とするドライクリーニング前処理方法、
Ｒ1Ｏ(Ｒ2Ｏ)nＨ                        …［１］
（ただし、式中、Ｒ1は、炭素数４〜２２のアルキル基又はアルケニル基であり、Ｒ2は、炭素数２〜３のアルキレン基であり、ｎは、１〜１０であり、ｎ個の繰り返し単位からなるポリアルキレンオキシ鎖中のアルキレンオキシ基は、すべて同一であっても、異なっていてもよい。）、
を提供するものである。
【発明の効果】
【０００５】
本発明のドライクリーニング用前処理剤は、わじみ防止性と油性汚れの洗浄性に優れるので、水を含有する前処理剤を用いて被洗物の水溶性汚れを除去した後に、該処理部分に本剤を付与してドライクリーニングすることによりわじみを防止することができ、さらに油性汚れを除去することができる。
本発明のドライクリーニング用前処理剤及び前処理方法は、ドライクリーニング洗浄溶剤として石油系溶剤、ハイドロクロロフルオロカーボン系溶剤、ハイドロフルオロカーボン系溶剤、ハイドロフルオロエーテル系溶剤及びこれらの混合溶剤を使用するドライクリーニングに適用することができる。ハイドロフルオロカーボン系溶剤やハイドロフルオロエーテル系溶剤などの第三世代フロン系溶剤を用いたドライクリーニングにおいては、水溶性汚れの除去の後に被洗物を乾燥させるという煩雑な工程が不要になり、石油系溶剤やハイドロクロロフルオロカーボン系溶剤のようなＫＢ値の高い溶剤を用いる場合においては、抱水能力のある界面活性剤を添加する必要がなくなるなど、作業を簡略化することができる。
【発明を実施するための最良の形態】
【０００６】
本発明のドライクリーニング用前処理剤は、一般式に［１］で表されるグリコールエーテル化合物７５〜１００質量％、より好ましくは８０〜９５質量％と、溶解助剤０〜２５質量部、より好ましくは５〜２０質量％を含有する。
Ｒ1Ｏ(Ｒ2Ｏ)nＨ                        …［１］
一般式［１］において、Ｒ1は、炭素数４〜２２、より好ましくは炭素数６〜１８のアルキル基又はアルケニル基であり、Ｒ2は、炭素数２〜３のアルキレン基であり、ｎは、１〜１０、より好ましくは２〜６であり、ｎ個の繰り返し単位からなるアルキレンオキシ鎖中のアルキレンオキシ基は、すべて同一であっても、異なっていてもよい。Ｒ1で表されるアルキル基又はアルケニル基は、直鎖状であっても、分岐を有していてもよい。ｎ個のアルキレンオキシ基が異なる２種以上のアルキレンオキシ基である場合、異なるアルキレンオキシ基の結合は、ランダム状又はブロック状いずれともすることができる。本発明において、一般式［１］で表されるグリコールエーテル化合物は、１種を単独で用いることができ、あるいは、２種以上を組み合わせて用いることもできる。
一般式［１］において、Ｒ1で表されるアルキル基及びアルケニル基の炭素数が４未満又は２２を超えると、わじみ防止性や、油性汚れの洗浄性が不十分となるおそれがある。ｎが１０を超えると、わじみ防止性や、油性汚れの洗浄性が十分に発現しないおそれがある。本発明のドライクリーニング用前処理剤においては、一般式［１］で表されるグリコールエーテル化合物の含有量が７５質量％未満であると、わじみ防止性や油性汚れの洗浄性が十分に発現しないおそれがある。
【０００７】
本発明に用いる溶解助剤は、アルコール系溶剤、ハイドロクロロフルオロカーボン（ＨＣＦＣ）系溶剤、ハイドロフルオロカーボン（ＨＦＣ）系溶剤及びハイドロフルオロエーテル（ＨＦＥ）系溶剤から選ばれる少なくとも１種の溶剤であることが好ましい。これらの溶解助剤を含有させることにより、ドライクリーニング用前処理剤の粘度を下げて、前処理の作業性を向上することができる。
アルコール系溶剤としては、例えば、イソプロパノール、３−メチル−３−メトキシブタノールなどを挙げることができる。ハイドロクロロフルオロカーボン系溶剤としては、例えば、１,１−ジクロロ−２,２,３,３,３−ペンタフルオロプロパン（ＨＣＦＣ−２２５ｃａ）、１,３−ジクロロ−１,１,２,２,３−ペンタフルオロプロパン（ＨＣＦＣ−２２５ｃｂ）及びこれらの混合物などを挙げることができる。ハイドロフルオロカーボン系溶剤としては、例えば、１,１,１,３,３−ペンタフルオロブタン（ＨＦＣ−３６５）などを挙げることができる。ハイドロフルオロエーテル系溶剤としては、例えば、メチルパーフルオロブチルエーテル、１,１,２,２−テトラフルオロエチル−２,２,２−トリフルオロエチルエーテルなどを挙げることができる。これらの溶剤は、１種を単独で用いることができ、あるいは、２種以上を組み合わせて用いることもできる。
これらの溶剤の中で、１,１,１,３,３−ペンタフルオロブタン（ＨＦＣ−３６５）及び１,１,２,２−テトラフルオロエチル−２,２,２−トリフルオロエチルエーテルは、粘度が低く、引火点がなく、オゾン破壊係数や地球温暖化係数が小さいため、特に好適に用いることができる。
本発明のドライクリーニング用前処理剤には、上記のグリコールエーテル化合物と溶解助剤のほかに、必要に応じて、高級アルコール脂肪酸エステル、脂肪酸モノエタノールアミド、脂肪酸ジエタノールアミドなどのノニオン界面活性剤、スルホコハク酸エステル、ポリエーテルカルボン酸などのアニオン界面活性剤、第四級アンモニウム塩などのカチオン界面活性剤、防腐剤などを配合することができる。
【０００８】
本発明のドライクリーニング前処理方法は、水を含有する前処理剤を用いて被洗物を処理したのちに、該処理部分に、一般式に［１］で表されるグリコールエーテル化合物７５〜１００質量％、より好ましくは８０〜９５質量％と、溶解助剤０〜２５質量％、より好ましくは５〜２０質量％を含有するドライクリーニング用前処理剤を付与する。
Ｒ1Ｏ(Ｒ2Ｏ)nＨ                        …［１］
一般式［１］において、Ｒ1は、炭素数４〜２２、より好ましくは炭素数６〜１８のアルキル基又はアルケニル基であり、Ｒ2は、炭素数２〜３のアルキレン基であり、ｎは、１〜１０、より好ましくは２〜６であり、ｎ個の繰り返し単位からなるアルキレンオキシ鎖中のアルキレンオキシ基は、すべて同一であっても、異なっていてもよい。
本発明方法において、ドライクリーニング用前処理剤を付与する方法に特に制限はなく、例えば、油差しなどにより滴下する方法、ブラシなどにより塗布する方法、スプレーなどにより噴霧する方法、超音波しみぬき機などの容器に入れて浸漬する方法などを挙げることができる。また、スプレー機付きのドライクリーニング洗濯機を用いることもできる。なお、ドライクリーニング用前処理剤を付与したのちは、通常行われている被洗物を乾燥する工程は必要なく、そのままドライクリーニングすることができ、水分によるわじみの発生を防ぐことができる。
本発明のドライクリーニング前処理方法を適用したのち、ドライクリーニング洗浄溶剤として、石油系溶剤、ハイドロクロロフルオロカーボン系溶剤、ハイドロフルオロカーボン系溶剤、ハイドロフルオロエーテル系溶剤又はこれらの混合溶剤を使用してドライクリーニングすることができる。
本発明のドライクリーニング用前処理剤は、わじみ防止性のみならず油性汚れの洗浄性にも優れており、繊維に付着したゴマ油、菜種油、オリーブ油、ラードなどの動植物油、ミシン油、機械油、印刷インキ、ボールペン、塗料、口紅や靴墨などの顔料・カーボンや油脂類を除去することができるので、わじみを防止するほかにも、ドライクリーニング前又は後に油性汚れを除去する目的で用いることもできる。
【実施例】
【０００９】
以下に、実施例を挙げて本発明をさらに詳細に説明するが、本発明はこれらの実施例によりなんら限定されるものではない。
なお、実施例及び比較例において、評価は下記の方法により行った。
（１）ドライクリーニング洗浄液の調製
式［２］で表されるドデシルメチルビス(ポリオキシプロピレン(５モル)ポリオキシエチレン(５モル))アンモニウムメチルサルフェート３５ｇ及び１,１,１,３,３−ペンタフルオロブタン６５ｇを配合して洗浄剤組成物を調製した。この洗浄剤組成物０.３ｍＬを、溶剤Ａ、Ｂ又はＣ１００ｍＬにそれぞれ添加し、溶解させてドライクリーニング洗浄液Ａ'、Ｂ'又はＣ'を調製し、以下の試験に用いた。
【化１】
2006257162.tif 000002
溶剤Ａ）ＨＦＣ−３６５（１,１,１,３,３−ペンタフルオロブタン）
溶剤Ｂ）ＨＦＣ−３６５：ＨＣＦＣ−２２５（１,１−ジクロロ−２,２,３,３,３−ペンタフルオロプロパン）＝６：４（質量比）
溶剤Ｃ）ＨＦＣ−３６５：１,１,２,２−テトラフルオロエチル−２,２,２−トリフルオロエチルエーテル＝７：３（質量比）
（２）油性汚れの洗浄性
牛脂硬化油３ｇ、流動パラフィン９ｇ、カーボン０.１５ｇ、アスファルト３ｇ及び洗浄剤［(株)ソルベックス、フジブライトＧ−１］１,５００ｍＬからなる汚れ成分液中に、４０番綿ブロード又はウールモスリンの白布を２５℃で２分間浸漬し、マングルを用いて絞り、風乾して油性汚れ汚染布を得た。なお、汚れ成分の付着量は、汚染布の５５０ｎｍにおける反射率が、３５±２％となるように調整した。
この汚染布（大きさ４ｃｍ×８ｃｍ）の中央部に、それぞれドライクリーニング用前処理剤０.１ｍＬを滴下し、２５℃にて３分間放置した。次いで、容量５００ｍＬのステンレス鋼製ポットに前記(１)の洗浄液Ａ'、Ｂ'又はＣ'１００ｍＬを入れ、ラウンダ・オ・メーター［大栄化学精器製作所(株)、Ｌ−２０］を用いて、２０℃で１０分間洗浄した。次いで、遠心脱水機［英光産業(株)、Ｈ−１２０Ａ］を用いて、１分間脱液し、６０分間風乾した。
汚染布のドライクリーニング用前処理剤の塗布部分について、試験前（原布）及び風乾後のそれぞれについて、色彩計［(株)村上色彩技術研究所、クリーンマスターＣＭ−５３Ｄ］を用いて、５５０ｎｍにおける反射率を測定し、次式に従って洗浄率を算出した。
洗浄率（％）＝[(Ｓ2−Ｓ1)／(Ｗ1−Ｓ1)]×１００
Ｓ1：汚染布の試験前（原布）の反射率
Ｓ2：風乾後の汚染布の反射率
Ｗ1：白布の反射率
（３）わじみ防止性
４０番綿ブロード及びウールモスリンの白布（大きさ４ｃｍ×８ｃｍ）２枚に、それぞれ水０.０５ｇを滴下し浸透させた直後に、この水滴下部分にドライクリーニング用前処理剤０.１ｍＬを塗布し、２５℃にて３分間放置して試験布とした。
前記(２)項と同様に作製したウールモスリンの油性汚れ汚染布（大きさ４ｃｍ×８ｃｍ）８枚を共存汚れとして用い、前記(１)の洗浄液Ａ'、Ｂ'又はＣ'により、(２)と同様にして、２０℃で１０分間洗浄したのち１分間脱水し、６０分間風乾した。
乾燥後の白布の外観を目視して、わじみの有無により次の３段階で評価した。
○：わじみが発生しない
△：色は薄いがわじみが発生する
×：わじみが発生する
【００１０】
実施例１
エチレングリコールモノヘキシルエーテルをドライクリーニング用前処理剤とし、評価を行った。
ドライクリーニング洗浄液Ａ'を用いたとき、油性汚れの洗浄率は綿ブロードが２２％、ウールモスリンが２１％であり、綿ブロード、ウールモスリンともに、わじみは発生しなかった。
ドライクリーニング洗浄液Ｂ'を用いたとき、油性汚れの洗浄率は綿ブロード、ウールモスリンともに２３％であり、綿ブロード、ウールモスリンともに、わじみは発生しなかった。
ドライクリーニング洗浄液Ｃ'を用いたとき、油性汚れの洗浄率は綿ブロードが２３％、ウールモスリンが２１％であり、綿ブロード、ウールモスリンともに、わじみは発生しなかった。
また、ドライクリーニング洗浄液Ｄとして、ＨＦＣ−３６５とＨＣＦＣ−１４１ｂ（１,１−ジクロロ−１−フルオロエタン）の質量比１：９の混合溶剤１００ｍＬを用いて同様に評価したところ、油性汚れの洗浄率は綿ブロード、ウールモスリンともに２３％であり、綿ブロード、ウールモスリンともに、わじみは発生しなかった。
実施例２
ジエチレングリコールモノ(２−エチルヘキシル)エーテル８０質量％とＨＦＣ−３６５ ２０質量％の混合物をドライクリーニング用前処理剤とし、実施例１と同様にして、ドライクリーニング洗浄液Ａ'、Ｂ'又はＣ'を用いて評価を行った。
実施例３
ポリオキシプロピレン(３モル)ポリオキシエチレン(３モル)モノデシルエーテル９０質量％と１,１,２,２,−テトラフルオロエチル−２,２,２−トリフルオロエチルエーテル１０質量％の混合物をドライクリーニング用前処理剤とし、実施例１と同様にして、ドライクリーニング洗浄液Ａ'、Ｂ'又はＣ'を用いて評価を行った。
実施例４
エチレングリコールモノヘキシルエーテル２０質量％、ポリオキシエチレン(５モル)モノドデシルエーテル７０質量％及びＨＦＣ−３６５ １０質量％の混合物をドライクリーニング用前処理剤とし、実施例１と同様にして、ドライクリーニング洗浄液Ａ'、Ｂ'又はＣ'を用いて評価を行った。
実施例５
ジエチレングリコールモノ(２−エチルヘキシル)エーテル５０質量％、ジエチレングリコールモノオレイルエーテル３０質量％、ＨＦＣ−３６５ １０質量％及び１,１,２,２,−テトラフルオロエチル−２,２,２−トリフルオロエチルエーテル１０質量％の混合物をドライクリーニング用前処理剤とし、実施例１と同様にして、ドライクリーニング洗浄液Ａ'、Ｂ'又はＣ'を用いて評価を行った。
比較例１
プロピレングリコールモノプロピルエーテル６０質量％、デカン３０質量％及びＨＣＦＣ−２２５ １０質量％の混合物をドライクリーニング用前処理剤とし、実施例１と同様にして、ドライクリーニング洗浄液Ａ'、Ｂ'又はＣ'を用いて評価を行った。
比較例２
エチルアルコール２０質量％、ＨＣＦＣ−１４１ｂ ６０質量％、プロピレンジクロライド１０質量％及びメチレンクロライド１０質量％の混合物をドライクリーニング用前処理剤とし、実施例１と同様にして、ドライクリーニング洗浄液Ａ'、Ｂ'又はＣ'を用いて評価を行った。
比較例３
ドライクリーニング用前処理剤を用いることなく、ドライクリーニング洗浄液Ａ'、Ｂ'又はＣ'を用いて評価を行った。
実施例１〜５及び比較例１〜２のドライクリーニング用前処理剤の配合組成を第１表に、実施例１〜５及び比較例１〜３の評価結果を第２表に示す。
【００１１】
【表１】
2006257162.tif 000003
【００１２】
【表２】
2006257162.tif 000004
【００１３】
第２表に見られるように、同一の洗浄液と同一の素材について比較すると、本発明のドライクリーニング用前処理剤を用いた実施例１〜５では、油汚れの洗浄率は、比較例１〜４と比べて全体的に高い値を示しており、また、わじみの発生がない。
さらに、本発明のドライクリーニング用前処理剤を用いると、実施例１の洗浄剤Ｄの結果から明らかなように、ＫＢ値の高い溶剤を用いたドライクリーニングにおいて、抱水能力のある界面活性剤を添加しなくても、わじみの発生を防止することが可能である。
また、比較例１〜２は、油性汚れの洗浄性は比較的高いものの、わじみが発生している。比較例３は、ドライクリーニング用前処理剤を使用せず、ドライクリーニング洗浄剤組成物を加えた洗浄液によるものであるが、油性汚れの洗浄性は低く、綿ブロードではわじみが発生している。
【産業上の利用可能性】
【００１４】
本発明のドライクリーニング用前処理剤は、被洗物に対して優れたわじみ防止性を発揮するのみならず、油性汚れに対する洗浄性にも優れており、ドライクリーニング洗浄溶剤として、石油系溶剤、ハイドロクロロフルオロカーボン系溶剤、ハイドロフルオロカーボン系溶剤、ハイドロフルオロエーテル系溶剤及びこれらの混合溶剤を使用するドライクリーニングに適用することができる。